(57)【要約】【課題】ＣＳＭＡ／ＣＡ等の方式により無線パケットの衝突回避を実現している場合に、通信システムの伝送効率を改善させること。【解決手段】送信データの種類に応じて無線パケットの優先度を設定し（ＳＴ１１００）、この優先度に基づいて衝突回避時間の最大値であるＴＣＷを算出する（ＳＴ１２００）と共に、バックオフ時間ＴＢを、０〜ＴＣＷの範囲内からランダムに選択する（ＳＴ１３００）。そして、共通チャネルの使用状況の収集を開始し（ＳＴ１４００）、キャリアセンスにより無線パケットが送信可能か判断する（ＳＴ１５００、ＳＴ１６００）。送信不可能な場合、ＴＢ経過した時点で共通チャネルに空き時間が多かったか否か判断し（ＳＴ２２００）、これに基づいてＴＣＷを変更または保持する（ＳＴ２３００、ＳＴ２４００）。【選択図】      図２
2005012275.tif 000002
【特許請求の範囲】
【請求項１】
複数の無線送信装置に共通なチャネルを介し送信された無線パケットを所定の時間間隔をおいて検出する検出手段と、
前記検出手段によって無線パケットが検出されなかった場合、自機の無線パケットを前記チャネルを介し送信する送信手段と、
前記検出手段によって無線パケットの検出が行われない前記時間間隔内において自機以外の前記無線送信装置が前記チャネルを使用した状況を測定する測定手段と、
測定された前記チャネルの使用状況に応じて、前記検出手段において無線パケットを検出する際の前記時間間隔を調整する調整手段と、
を具備することを特徴とする無線送信装置。
【請求項２】
前記検出手段において無線パケットを検出する際の前記時間間隔を所定の時間範囲の中からランダムに選択する選択手段をさらに具備し、
前記調整手段は、
前記測定手段によって測定された前記チャネルの使用状況に応じて前記選択手段における前記所定の時間範囲を調整することにより、前記検出手段において無線パケットを検出する際の前記時間間隔を間接的に調整する、
ことを特徴とする請求項１記載の無線送信装置。
【請求項３】
前記調整手段は、
前記測定手段によって測定された前記チャネルの使用状況に加え、送信する無線パケットの優先度に基づいて、前記検出手段において無線パケットを検出する際の前記時間間隔を調整する、
ことを特徴とする請求項１記載の無線送信装置。
【請求項４】
前記優先度は、
送信する無線パケットの有するデータの種類、または送信する無線パケットの送信先の無線送信装置に対し付与された優先順位に基づいて決定される、
ことを特徴とする請求項３記載の無線送信装置。
【請求項５】
請求項１から請求項４のいずれかに記載の無線送信装置を具備することを特徴とする基地局装置。
【請求項６】
複数の無線送信装置に共通なチャネルを介し送信された無線パケットを所定の時間間隔をおいて検出する検出ステップと、
前記検出ステップにおいて無線パケットが検出されなかった場合、無線パケットを前記チャネルを介し送信する送信ステップと、
前記検出ステップにおける無線パケットの検出が行われない前記時間間隔内において前記無線送信装置が前記チャネルを使用した状況を測定する測定ステップと、
測定された前記チャネルの使用状況に応じて、前記検出ステップにおいて無線パケットを検出する際に使用される前記時間間隔を調整する調整ステップと、
を具備することを特徴とする無線パケット送信方法。
【請求項７】
複数の通信端末装置とこれらの通信端末装置の通信を制御する基地局装置とを有する無線通信システムであって、
前記通信端末装置は、
前記複数の通信端末装置に共通なチャネルを介し送信された無線パケットを所定の時間間隔をおいて検出する検出手段と、
前記検出手段によって無線パケットが検出されなかった場合、自機の無線パケットを前記チャネルを介し送信する送信手段と、を具備し、
前記基地局装置は、
前記複数の通信端末装置が前記チャネルを使用した状況を測定する測定手段と、
測定された前記チャネルの使用状況に応じて、前記通信端末装置が無線パケットを検出する際の前記時間間隔を決定する決定手段と、
決定された前記時間間隔を前記通信端末装置に通知する通知手段と、を具備する、
ことを特徴とする無線通信システム。
【発明の詳細な説明】
【０００１】
【発明の属する技術分野】
本発明は、ＣＳＭＡ／ＣＡ方式等を用いた無線送信装置、無線パケット送信方法、および無線通信システムに関する。
【０００２】
【従来の技術】
複数の通信装置間で共通な無線チャネル（以下、単にチャネルという）に各通信装置が接続（アクセス）し、無線パケットによる通信を行う通信システムにおいては、競合アクセス（無線パケットの衝突）を回避するためのアクセス方式が必要となる。各通信装置は、このアクセス方式に則って自機の無線パケットを送信することにより、他の通信装置と送信タイミングが重なることによる競合アクセスを防止することができる。
【０００３】
無線ＬＡＮシステムにおける代表的なアクセス方式として、ＩＥＥＥ８０２委員会が規定しているＣＳＭＡ／ＣＡ（Ｃａｒｒｉｅｒ  Ｓｅｎｓｅ  Ｍｕｌｔｉｐｌｅ  Ａｃｃｅｓｓ  ／  Ｃｏｌｌｉｓｉｏｎ  Ａｖｏｉｄａｎｃｅ）方式がある。この方式では、各通信装置間に共通のチャネルを用いて自機の無線パケット（キャリア）を送信する際に、事前に他の通信装置がこのチャネルを使用して無線パケットを送信したか否かを検出するキャリアセンスと呼ばれる処理を行う。そして、キャリアセンスによって無線パケットが検出された場合、そのタイミングにおける自機の無線パケットの送信を延期し、所定の時間（衝突回避時間）経過後に再びキャリアセンスを行い、無線パケットが検出されなかった場合に自機の無線パケットの送信を行う。ここで、衝突回避時間は、所定の時間（最大衝突回避時間）の範囲内から各通信装置がそれぞれランダムに選択するので、次回の送信タイミングにおいて再び他の通信装置と送信タイミングが重なる確率を低下させることができる。
【０００４】
しかし、上記の方式においては、リアルタイム性の高い情報をのせた無線パケットであっても全ての無線パケットは公平に扱われるため、通信が混雑している場合には送信遅延が発生するおそれがある。この点を改良するため、各無線パケットに優先順位を付け、その優先順位に応じて衝突回避時間を設定することにより、無線パケットの衝突を回避すると共に、リアルタイム性の高いデータを優先して送信する優先制御を実現している方法もある（例えば、特許文献１参照）。
【０００５】
図４は、この上記の無線パケットの送信方法の手順を示したフロー図である。
【０００６】
この図のＳ４において、無線チャネルで送信すべきデータの種類に応じて、基地局による集中制御ＰＣＦ（Ｐｏｉｎｔ  Ｃｏｏｒｄｉｎａｔｉｏｎ  Ｆｕｎｃｔｉｏｎ）を用いて無線パケットの衝突回避を行うか、分散制御ＤＣＦ（Ｄｉｓｔｒｉｂｕｔｅｄ  Ｃｏｏｒｄｉｎａｔｉｏｎ  Ｆｕｎｃｔｉｏｎ）を用いて無線パケットの衝突回避を行うかが決定される。無線パケットを集中制御ＰＣＦにより送信する場合、この無線パケットは最優先で送信すべきデータとなる。分散制御ＤＣＦを用いて衝突回避が行われる場合、Ｓ７において、さらにデータの種類に応じて衝突回避期間を短く設定するか長く設定するかが判断される。このように、無線パケットの優先送信制御を実現している。
【０００７】
【特許文献１】
特開２００１−２３７８３９号公報（第２図）
【０００８】
【発明が解決しようとする課題】
しかしながら、従来の無線パケットの送信方法は、衝突回避時間を一定の最大衝突回避時間の中からランダムに選択するので、通信システムの伝送効率（周波数利用効率）を低下させているという問題がある。
【０００９】
すなわち、衝突回避時間を一定の最大衝突回避時間の中からランダムに選択するということは、平均的に見たら、各無線送信装置は、一定の衝突回避時間を使用しているということになる。よって、各無線送信装置は、キャリアセンスによって他機の無線パケットを検出した場合、一定の衝突回避時間の経過を待って、それから次回の無線パケットの送信を試みることになる。ところが、この衝突回避時間の間に他機による無線パケットの送信が必ず行われているかというとそうでもない。通信システムの混雑度によっては、衝突回避時間の間に他機による無線パケットの送信が一度もない状況でも、無線送信装置は自機の無線パケットの送信を待たなければならない。これは通信システムの伝送効率の観点からすると非効率な方法であるといえる。
【００１０】
本発明は、かかる点に鑑みてなされたものであり、ＣＳＭＡ／ＣＡ等の方式により無線パケットの衝突回避を実現している場合に、通信システムの伝送効率を改善させることができる無線送信装置、無線パケット送信方法、および無線通信システムを提供することを目的とする。
【００１１】
【課題を解決するための手段】
本発明の無線送信装置は、複数の無線送信装置に共通なチャネルを介し送信された無線パケットを所定の時間間隔をおいて検出する検出手段と、前記検出手段によって無線パケットが検出されなかった場合、自機の無線パケットを前記チャネルを介し送信する送信手段と、前記検出手段によって無線パケットの検出が行われない前記時間間隔内において自機以外の前記無線送信装置が前記チャネルを使用した状況を測定する測定手段と、測定された前記チャネルの使用状況に応じて、前記検出手段において無線パケットを検出する際の前記時間間隔を調整する調整手段と、を具備する構成を採る。
【００１２】
本発明の無線送信装置は、上記の構成において、前記検出手段において無線パケットを検出する際の前記時間間隔を所定の時間範囲の中からランダムに選択する選択手段をさらに具備し、前記調整手段は、前記測定手段によって測定された前記チャネルの使用状況に応じて前記選択手段における前記所定の時間範囲を調整することにより、前記検出手段において無線パケットを検出する際の前記時間間隔を間接的に調整する構成を採る。
【００１３】
これらの構成によれば、ＣＳＭＡ／ＣＡ等の方式により無線パケットの衝突回避を実現している場合に、通信システムの混雑度に応じて衝突回避時間が設定されるので、通信システムの伝送効率を改善させることができる。
【００１４】
本発明の無線送信装置は、上記の構成において、前記調整手段は、前記測定手段によって測定された前記チャネルの使用状況に加え、送信する無線パケットの優先度に基づいて、前記検出手段において無線パケットを検出する際の前記時間間隔を調整する構成を採る。
【００１５】
本発明の無線送信装置は、上記の構成において、前記優先度は、送信する無線パケットの有するデータの種類、または送信する無線パケットの送信先の無線送信装置に対し付与された優先順位に基づいて決定される構成を採る。
【００１６】
これらの構成によれば、ＣＳＭＡ／ＣＡ等の方式により無線パケットの衝突回避を実現している場合に、無線パケットの優先度も考慮して衝突回避時間を設定するので、データの重要性等を考慮した無線パケットの優先送信制御を実現することができる。これにより、例えば、この無線パケットにのせられたデータがリアルタイム性の強いデータであった場合、衝突回避時間を短く設定して送信遅延を防止することができる。
【００１７】
本発明の基地局装置は、上記いずれかに記載の無線送信装置を具備する構成を採る。
【００１８】
この構成によれば、上記と同様の作用効果を有する基地局装置を提供することができる。
【００１９】
本発明の無線パケット送信方法は、複数の無線送信装置に共通なチャネルを介し送信された無線パケットを所定の時間間隔をおいて検出する検出ステップと、前記検出ステップにおいて無線パケットが検出されなかった場合、無線パケットを前記チャネルを介し送信する送信ステップと、前記検出ステップにおける無線パケットの検出が行われない前記時間間隔内において前記無線送信装置が前記チャネルを使用した状況を測定する測定ステップと、測定された前記チャネルの使用状況に応じて、前記検出ステップにおいて無線パケットを検出する際に使用される前記時間間隔を調整する調整ステップと、を具備するようにした。
【００２０】
この方法によれば、ＣＳＭＡ／ＣＡ等の方式により無線パケットの衝突回避を実現している場合に、通信システムの混雑度に応じて衝突回避時間を設定するので、通信システムの伝送効率を改善させることができる。
【００２１】
本発明の無線通信システムは、複数の通信端末装置とこれらの通信端末装置の通信を制御する基地局装置とを有する無線通信システムであって、前記通信端末装置は、前記複数の通信端末装置に共通なチャネルを介し送信された無線パケットを所定の時間間隔をおいて検出する検出手段と、前記検出手段によって無線パケットが検出されなかった場合、自機の無線パケットを前記チャネルを介し送信する送信手段と、を具備し、前記基地局装置は、前記複数の通信端末装置が前記チャネルを使用した状況を測定する測定手段と、測定された前記チャネルの使用状況に応じて、前記通信端末装置が無線パケットを検出する際の前記時間間隔を決定する決定手段と、決定された前記時間間隔を前記通信端末装置に通知する通知手段と、を具備する構成を採る。
【００２２】
この構成によれば、ＣＳＭＡ／ＣＡ等の方式により無線パケットの衝突回避を実現している場合に、通信システムの混雑度に応じて衝突回避時間が設定されるので、通信システムの伝送効率を改善させることができる。
【００２３】
【発明の実施の形態】
本発明の骨子は、各無線送信装置が、送信前に各無線送信装置に共通の無線チャネルの使用状況をキャリアセンスにより把握し、その使用状況に応じて衝突回避時間（Ｃｏｎｔｅｎｔｉｏｎ  Ｗｉｎｄｏｗ）を設定することである。これにより、無線パケット間の衝突を回避すると共に、無線周波数帯域の利用効率を改善することができる。そして、さらに無線パケットの優先度も考慮に入れて衝突回避時間を設定することにより、データの重要性等を考慮した無線パケットの優先送信制御を併存させることができる。
【００２４】
以下、本発明の実施の形態について、図面を参照して詳細に説明する。
【００２５】
（実施の形態１）
図１は、本発明の実施の形態１に係る無線送信装置の主要な構成を示すブロック図である。
【００２６】
この無線送信装置は、バッファ１０１、優先度設定部１０２、ＴＣＷ算出部１０３、ＴＢ選択部１０４、送信制御部１０５、使用状況収集部１０６、キャリアセンス部１０７、無線送受信部１０８、および送信アンテナ１０９を有する。
【００２７】
バッファ１０１は、送信データから生成される無線送信パケットを送信タイミングが来るまで一時保存し、送信制御部１０５から送信を指示する制御信号が入力された場合、無線送受信部１０８に出力する。
【００２８】
優先度設定部１０２は、送信データの優先度を設定し、ＴＣＷ算出部１０３に出力する。ＴＣＷ算出部１０３は、優先度設定部１０２から出力される優先度から後述のＴＣＷを算出し、ＴＢ選択部１０４に出力する。ＴＢ選択部１０４は、ＴＣＷ算出部１０３から出力されるＴＣＷに基づいて後述のＴＢを選択し、送信制御部１０５に出力する。
【００２９】
一方、使用状況収集部１０６は、各無線送信装置が共通して使用する無線チャネル（周波数帯域）の使用状況を、無線送受信部１０８を介して一定期間収集し、その情報を送信制御部１０５に出力する。また、キャリアセンス部１０７は、送信制御部１０５から指示されたタイミングでこの周波数帯域のキャリアセンスを（無線送受信部１０８を介して）行い、その結果を送信制御部１０５に通知する。
【００３０】
送信制御部１０５は、使用状況収集部１０６およびキャリアセンス部１０７から出力された情報に基づいて、バッファ１０１内に記憶されている無線パケットの送信タイミングを決定し、制御信号をバッファ１０１に出力する。また、送信制御部１０５は、ＴＣＷ算出部１０３およびキャリアセンス部１０７に制御信号を出力し、後述のＴＣＷ更新の処理およびキャリアセンスのタイミングの制御を行う。無線送受信部１０８は、バッファ１０１から出力された無線パケットに対し、アップコンバート等の所定の無線送信処理を施し、送信アンテナ１０９を介して無線送信する。
【００３１】
次いで、上記構成を有する無線送信装置の無線パケット送信方法の手順について、図２に示すフロー図を用いて説明する。
【００３２】
優先度設定部１０２は、送信すべきデータが発生した場合、送信データの種類に応じて無線パケットの優先度（プライオリティ値）を設定する（ＳＴ１１００）。例えば、優先度は送信データのＱｏＳ（Ｑｕａｌｉｔｙ  ｏｆ  Ｓｅｒｖｉｃｅ；品質保証）値に基づいて設定される。よって、音声やテレビ電話における映像のようにリアルタイム性の高いデータに対しては優先度は高く設定され、ベストエフォート（ＢＥ）型のデータに対しては優先度は低く設定される。具体的には、ＩＥＥＥ８０２．１Ｑで規定されているＶＬＡＮ（Ｖｉｒｔｕａｌ  ＬＡＮ）−Ｔａｇｇｅｄ  Ｆｒａｍｅ中のＴＣＩ（Ｔａｇ  Ｃｏｎｔｒｏｌ  Ｉｎｆｏｒｍａｔｉｏｎ）に含まれるユーザ・プライオリティ値、あるいは、ＩＰｖ４パケットで規定されているＴＯＳ（Ｔｙｐｅ  ｏｆ  Ｓｅｒｖｉｃｅ）フィールド値を無線バケット間で互いに比較することにより無線パケットの優先順位を設定する。また、この優先度は、無線パケットごとに別々の値が設定されても良いし、同一グループのデータからなる無線パケットに対しては同一の優先度が設定されるようにしても良い。
【００３３】
ＴＣＷ算出部１０３は、この優先順位に関する情報（プライオリティ値）に基づいて衝突回避時間の最大値であるＴＣＷを以下の式
ＴＣＷ＝（ＴＣＷの初期値）／優先度  …（式１）
に従って算出する（ＳＴ１２００）。
【００３４】
ＴＢ選択部１０４は、無線パケットを送信する際の待ち時間であるバックオフ時間ＴＢを、０〜ＴＣＷの範囲内からランダムに選択する（ＳＴ１３００）。具体的には、ＴＣＷは数スロットに相当しているため、この中からＴＢに相当するスロット数を選択する。例えば、ＴＣＷが８スロットの場合、ＴＢは１〜８スロットの中から選択される。
【００３５】
使用状況収集部１０６は、上記の共通チャネルの使用状況、すなわち、自機が無線パケットの送信を待っている間に他の無線送信装置がどの程度この周波数帯域を使用したかという情報の収集を開始する（ＳＴ１４００）。
【００３６】
キャリアセンス部１０７は、キャリアセンスを行うことにより（ＳＴ１５００）、使用しようとしている無線チャネルが他の無線送信装置により使用されているか否かを確認し、無線パケットが送信可能か判断する（ＳＴ１６００）。
【００３７】
ＳＴ１６００において、無線パケットが送信可能の場合、次にバックオフ時間ＴＢを経過しているか判断し（ＳＴ１７００）、バックオフ時間ＴＢを経過している場合、無線パケットをすぐに送信する（ＳＴ１８００）。バックオフ時間ＴＢを経過していない場合、ＳＴ１４００に戻り、キャリアセンス部１０７は再びキャリアセンスを行う。
【００３８】
ＳＴ１６００において、共通チャネルが使用中の場合、すなわち、無線パケットが送信不可能の場合、次にバックオフ時間ＴＢを経過しているか判断し（ＳＴ２１００）、バックオフ時間ＴＢを経過している場合、収集した共通チャネルの使用状況をチェックして空き時間が多かったか否か判断する（ＳＴ２２００）。そして、収集した共通チャネルの使用状況に応じて、ＴＣＷを以下のように変更または保持する。
【００３９】
例えば、使用状況収集期間において共通チャネルがあまり使用されておらず、空き時間が多かったような場合、ＴＣＷは、同一値を保持し（ＳＴ２３００）、ＳＴ１３００に戻って、バックオフ時間ＴＢのランダム選択が再実行される。
【００４０】
なお、ここで、ＴＣＷの値を保持するのは、今回は偶然他の無線パケットと送信タイミングが重なったが、使用状況を収集した結果、通信システムのトラフィックが空いていることがわかったので、次の送信期間においては無線パケットの送信頻度を現状維持としても、送信タイミングが重なる可能性は低いと判断されるためである。よって、ここでは、ＴＣＷの値を保持する場合を例にとって説明したが、使用状況の空き具合によっては、より積極的にＴＣＷの値を小さくするような更新を行っても良い。
【００４１】
一方、使用状況収集期間において共通チャネルが頻繁に使用され、空き時間が少なかったような場合、ＴＣＷは以下の式により変更され（ＳＴ２４００）、
ＴＣＷ＝ＴＣＷ×２  …（式２）
変更後のＴＣＷでＳＴ１３００のＴＢのランダム選択が再実行される。
【００４２】
なお、ここでは、ＴＣＷが２倍の値に更新される場合を例にとって説明したが、これは使用状況を収集した結果、通信システムのトラフィックが渋滞していることがわかったので、次の送信期間において無線パケットの衝突確率を低下させるために行われるもので、特に２倍に限定されるわけではなく、ＴＣＷが前回の値より大きな値に更新されれば良い。
【００４３】
ＳＴ２１００において、バックオフ時間ＴＢを経過していない場合、ＳＴ１４００に戻り、キャリアセンス部１０７は再びキャリアセンスを行う。
【００４４】
図３は、上記の方法により送信される無線パケットの送信タイミングの一例を時間軸上に示した図である。ここでは、上記のフローのうち、ＳＴ１２００までの処理は完了しているとする。
【００４５】
時刻Ｔ１において、上記の共通チャネルの使用状況の収集が開始する（ＳＴ１４００）と共に、キャリアセンスが行われる（ＳＴ１５００）。この図では、キャリアセンスの結果、無線パケットの送信が不可（ＮＧ）であった場合を示している。そのため、ＳＴ１６００からＳＴ２１００の処理に移り、バックオフ時間ＴＢを経過するまで、ＳＴ２１００の帰還ループによりＳＴ１４００〜ＳＴ１６００の処理が繰り返される。なお、この間におけるキャリアセンスの結果は、全てＮＧだったとする。
【００４６】
時刻Ｔ２において、ＴＢを経過したため、図中の斜線の箇所の使用状況が判断される（ＳＴ２２００）。ここで空き時間が多かったとすると、ＳＴ２３００において、ＴＣＷは保持されるか、またはより小さい値に変更される（図では、より小さい値に変更される場合を示している）。ＳＴ１３００に戻ってバックオフ時間ＴＢが再選択されると、ＴＣＷは先程の値より小さい値に変更されているので、ＴＢも先程の値より小さい値ＴＢ’になることが予想される。そして、再びキャリアセンスが行われ（ＳＴ１５００）、無線パケットが送信可能だとすると（ＳＴ１６００）、ＴＢ’を経過するまでＳＴ１４００〜ＳＴ１７００の処理が繰り返される。
【００４７】
時刻Ｔ３において、再度キャリアセンスが行われ（ＳＴ１５００）、無線パケットが送信可能であれば（ＳＴ１６００）、ＴＢ’を経過しているため、無線パケットは送信される（ＳＴ１８００）。
【００４８】
このように、本実施の形態によれば、ＣＳＭＡ／ＣＡ方式により無線パケットの衝突回避を実現している場合に、無線周波数帯域の空き状況に応じて衝突回避時間ＴＣＷは設定される。よって、例えば、共通の無線周波数帯域の使用状況が空いていれば、無線パケットが次回送信されるまでの時間間隔が保持されるか、もしくは短縮されるので、通信システムの伝送効率を改善させることができる。また、共通の無線周波数帯域の使用状況が混雑していれば、無線パケットが次回送信されるまでの時間間隔が長くなるので、無線パケットの衝突が起こりにくくなる。
【００４９】
また、送信データの種類に応じて無線パケットに優先順位を付け、これに基づいて衝突回避時間の最大値ＴＣＷを設定するので、データの優先順位を考慮した無線パケットの送信制御を実現することができる。これにより、例えば、この無線パケットにのせられたデータがリアルタイム性の強いデータであった場合、衝突回避時間を短く設定して送信遅延を防止することができる。
【００５０】
なお、ここでは、共通チャネルの使用状況の判断基準として、空き時間の多さに着目する場合を例にとって説明したが、使用状況の判断基準としては、一定期間内に実際に検知された無線パケットの個数を使用しても良い。
【００５１】
また、ここでは、無線パケットにのせられたデータの種類に応じて無線パケットの優先度を決定する場合を例にとって説明したが、無線パケットの送信先の無線送信装置に優先順位をつけ、この優先順位に基づいて無線パケットの優先度を決定しても良い。
【００５２】
さらに、ここでは、ＣＳＭＡ／ＣＡ方式に従って無線パケットを送信する通信システムを例にとって説明したが、同様の方法により無線パケットの競合アクセスを回避している通信システムであれば、本発明は適用可能である。
【００５３】
また、ここでは、本発明をハードウェアで構成する場合を例にとって説明したが、ソフトウェアで実現することも可能である。
【００５４】
本発明に係る無線送信装置は、セルラや無線ＬＡＮ等の移動体通信システムにおける通信端末装置および基地局装置の双方に搭載することが可能であり、これにより上記と同様の作用効果を有する通信端末装置および基地局装置を提供することができる。
【００５５】
なお、ここでは、一つの無線送信装置がキャリアセンスの処理と衝突回避時間の設定処理との両方を行う場合を例にとって説明したが、移動体通信システムにおいては、各通信端末装置がキャリアセンスの処理を行い、基地局装置が衝突回避時間の設定を行って各通信端末装置にこれを指示するようにしても良い。
【００５６】
【発明の効果】
以上説明したように、本発明によれば、ＣＳＭＡ／ＣＡ等の方式により無線パケットの衝突回避を実現している場合に、通信システムの混雑度に応じて衝突回避時間が設定されるので、通信システムの伝送効率を改善させることができる。
【図面の簡単な説明】
【図１】本発明の実施の形態１に係る無線送信装置の主要な構成を示すブロック図
【図２】本発明の実施の形態１に係る無線パケット送信方法の手順について示すフロー図
【図３】本発明の実施の形態１に係る無線パケット送信方法により送信される無線パケットの送信タイミングの一例を時間軸上に示した図
【図４】従来の無線パケットの送信方法の手順を示したフロー図
【符号の説明】
１０１  バッファ
１０２  優先度設定部
１０３  ＴＣＷ算出部
１０４  ＴＢ選択部
１０５  送信制御部
１０６  使用状況収集部
１０７  キャリアセンス部
１０８  無線送受信部
１０９  送信アンテナ
【図１】
2005012275.tif 000003
【図２】
2005012275.tif 000004
【図３】
2005012275.tif 000005
【図４】
2005012275.tif 000006